(57)【要約】【課題】液晶シャッターを用いずに被照明物の照明の明るさ（輝度）を向上させる照明装置、液晶表示装置、および電子機器を提供すること。【解決手段】照明装置５０は、被照明物（液晶パネル６０）の後方に配設されて光を導光して液晶パネル６０に射出する導光板１１０と、導光板１１０の側面に配設されて導光板１１０に光を射出する光源１２０と、を有するバックライト１００と、バックライト１００を複数連結する連結部１３０と、を備え、連結された複数のバックライト１００によりバックライトユニット１０を構成して液晶パネル６０に光を射出する。【選択図】図１
2009146672.tif 000002
【特許請求の範囲】
【請求項１】
被照明物の後方に配設されて光を導光して前記被照明物に射出する導光板と、当該導光板の側面に配設されて前記導光板に光を射出する光源と、を有するバックライトと、
前記バックライトを複数連結する連結部と、を備え、
連結された前記複数のバックライトによりバックライトユニットを構成して前記被照明物に光を射出することを特徴とする照明装置。
【請求項２】
請求項１に記載の照明装置であって、
前記バックライトユニットを前記被照明物に対して移動自在とさせる駆動部を有することを特徴とする照明装置。
【請求項３】
請求項２に記載の照明装置であって、
前記駆動部は、前記バックライトユニットを巻き取り収容および展開する巻取部、または前記バックライトユニットを折り畳み収容および展開する折畳部を備えていることを特徴とする照明装置。
【請求項４】
請求項１〜請求項３のいずれか一項に記載の照明装置であって、
前記バックライトユニットは、曲面形状となるように配設されることを特徴とする照明装置。
【請求項５】
請求項１〜請求項４のいずれか一項に記載の照明装置であって、
前記光源は、それぞれ独立して駆動させることを特徴とする照明装置。
【請求項６】
請求項３〜請求項５のいずれか一項に記載の照明装置であって、
前記バックライトユニットを収容した状態で前記光源を点灯させることを特徴とする照明装置。
【請求項７】
請求項１〜請求項６のいずれか一項に記載の照明装置であって、
前記光源としてＬＥＤ素子を用いることを特徴とする照明装置。
【請求項８】
請求項１〜請求項７のいずれか一項に記載の照明装置と、
前記照明装置の前方に前記被照明物として配設される透過型の液晶パネルと、を備えたことを特徴とする液晶表示装置。
【請求項９】
請求項８に記載の液晶表示装置であって、
前記バックライトユニットを、少なくとも２系統有し、
前記液晶パネルに対して、外周側からそれぞれ移動自在となることを特徴とする液晶表示装置。
【請求項１０】
請求項８または請求項９に記載の液晶表示装置と、
前記液晶表示装置の後方に配設される対象物と、を備え、
前記液晶表示装置の前方から前記液晶表示装置を介して前記対象物を視認することを特徴とする電子機器。
【発明の詳細な説明】
【技術分野】
【０００１】
本発明は、照明装置、液晶表示装置、および電子機器に関する。
【背景技術】
【０００２】
従来、例えば、電子機器としての遊技機（例えば、回胴式遊技機など）は、透過型の液晶パネルと、液晶パネルの後方に配設した額縁状の導光部材（導光部材の外周端面には蛍光管（通常は冷陰極管）が配設される）と、導光部材の後方に透過と非透過を切り替えるシャッターとしての動作を行なう液晶パネル（液晶シャッター）とを備え、その液晶シャッターの後方には、円周上に多数の絵柄を形成し、複数個（通常の場合は３個）並べて配設される回転表示体を備えて構成されているものがある。
【０００３】
このような遊技機は、液晶パネルに表示される画像と、回転表示体と、を重ねた表示などが行なえる。詳細には、導光部材に蛍光管からの光を導光させ、液晶シャッターを非透過として、透過型の液晶パネルに画像を表示させている。また、導光部材に蛍光管からの光を導光させ、液晶シャッターを透過として、液晶パネルに画像を表示させると共に、回転表示体などを、液晶パネルおよび液晶シャッターを介して（透過させて）表示させている。遊技機は、上述した表示を組み合わせて表示における演出効果を高めることで、遊技に対する期待感を増し、遊技の面白さを向上させている。なお、このような構成と略同様な液晶表示装置が、特許文献１に開示されている。
【０００４】
【特許文献１】特開２００７−１０７０４号公報
【発明の開示】
【発明が解決しようとする課題】
【０００５】
上述した構成によると、液晶パネルの表示領域の外周に対応させて、導光部材を配設することになるため、後方の回転表示体を透過させて表示するための表示領域は狭くなる。また、逆に、液晶パネルの表示領域の全面に後方の回転表示体を透過させて表示させようとした場合には、導光部材の外形を拡大する必要があり、表示装置として大きくなってしまうという課題がある。また、液晶シャッターは、反射型液晶を反射用拡散板として用いているが、非透過時において、反射率には限界があることや、反射光を前方に反射させずらいなどの構造的な制限から、液晶パネルの表示画面が暗くなるという課題がある。また、液晶をシャッターとして用いていることにより、透過時には、液晶パネルと液晶シャッターの２つの液晶パネルを介して回転表示体などを視認することになるため、液晶シャッターの透明度の低さ（透過率の低さ）などの課題がある。
【課題を解決するための手段】
【０００６】
本発明は、上述した課題の少なくとも一部を解決するためになされたものであり、以下の形態または適用例として実現することが可能である。
【０００７】
（適用例１）本適用例に係る照明装置は、被照明物の後方に配設されて光を導光して被照明物に射出する導光板と、導光板の側面に配設されて導光板に光を射出する光源と、を有するバックライトと、バックライトを複数連結する連結部と、を備え、連結された複数のバックライトによりバックライトユニットを構成して被照明物に光を射出することを特徴とする。
【０００８】
このような照明装置によると、それぞれの導光板の側面に光源を配設してバックライトが構成されていることにより、確実にそれぞれの導光板に光源からの光を導光させることでバックライトとしての反射率を向上し、被照明物を照明する輝度が向上でき、結果として被照明物の視認性を向上できる。また、それぞれの導光板が連結部で連結されてバックライトユニットが構成されていることにより、バックライトユニットに柔軟性を持たせることができる。それにより、バックライトユニットの配設の仕方の自由度を向上させることができる。
【０００９】
（適用例２）上記の照明装置であって、バックライトユニットを被照明物に対して移動自在とさせる駆動部を有することが好ましい。
【００１０】
このような照明装置によると、駆動部により、バックライトユニットを被照明物に対して移動自在とさせることにより、例えば、被照明物に対してバックライトユニットが後方に位置するように移動させることで、被照明物に対してバックライトで照明させることができる。また、被照明物に対してバックライトユニットが後方に位置しないように移動させることで、被照明物に対してバックライトで照明させないこと（従来の液晶シャッターにおいて、透過の状態にすること）ができる。また、被照明物に対してバックライトユニットが後方に位置する状態と、位置しない状態とを同時に有する状態にすることもできる。これにより、照明装置としての使用形態の自由度を向上させることができる。また、例えば、被照明物が透過性を有するもので構成されている場合、バックライトユニットが被照明物の後方での位置を、移動自在とすることで、従来の液晶を用いたシャッターとしての機能をこのバックライトユニットに持たせることができる。
【００１１】
（適用例３）上記の照明装置であって、駆動部は、バックライトユニットを巻き取り収容および展開する巻取部、またはバックライトユニットを折り畳み収容および展開する折畳部を備えていることが好ましい。
【００１２】
このような照明装置によると、駆動部は、巻取部を備えてバックライトユニットを巻き取り収容および展開することや、または、折畳部を備えてバックライトユニットを折り畳み収容および展開することにより、バックライトユニットの移動を効率的に行なわせることができる。
【００１３】
（適用例４）上記の照明装置であって、バックライトユニットは、曲面形状となるように配設されることが好ましい。
【００１４】
このような照明装置によると、バックライトユニットが、曲面形状となるように配設されることにより、例えば、被照明物が曲面形状を有している場合に、その曲面形状に略沿った形態でバックライトユニットを配設することができるため、被照明物の形状に沿った照明が行なえ、被照明物に対して均一な照明を行ない易くなる。
【００１５】
（適用例５）上記の照明装置であって、光源は、それぞれ独立して駆動させることが好ましい。
【００１６】
このような照明装置によると、光源をそれぞれ独立して駆動させることにより、それぞれのバックライトに対して、個々に点灯および非点灯を行なわせることができ、バックライトユニットの照明のさせ方の自由度を向上させることができる。
【００１７】
（適用例６）上記の照明装置であって、バックライトユニットを収容した状態で光源を点灯させることが好ましい。
【００１８】
このような照明装置によると、バックライトユニットを収容した状態で光源を点灯させることにより、例えば、バックライトユニットの後方に部材が配置されている場合、その部材を照明することができる。その際、例えば、被照明物が透過性を有するもので構成されている場合、バックライトユニットの後方の部材を照明することで、被照明物の前方から、被照明物を介して部材を視認し易くさせることができる。
【００１９】
（適用例７）上記の照明装置であって、光源として、ＬＥＤ素子を用いることが好ましい。
【００２０】
このような照明装置によると、光源としてＬＥＤ素子を用いることにより、バックライトユニットの小型化を図れる。また、ＬＥＤ素子を用いることにより、赤色光、緑色光、青色光、または白色光などを含め、複数の色光で光源を構成することが可能となり、導光板もその複数の色光を導光することができる。従って、バックライトの照明のさせ方の自由度を向上させることができる。
【００２１】
（適用例８）本適用例に係る液晶表示装置は、上記適用例として記述したいずれかの照明装置と、照明装置の前方に被照明物として配設される透過型の液晶パネルと、を備えたことを特徴とする。
【００２２】
このような液晶表示装置によると、上述した照明装置の効果を奏する液晶表示装置が実現する。また、上述した照明装置で液晶パネルを照明することにより、従来の導光部材や液晶シャターを使用する場合に比べて、表示画面の輝度を向上させることができる。また、照明装置を液晶表示装置のシャッターとして機能させることができるため、液晶表示装置の後方にバックライトユニットが位置しない状態とすることで、従来の液晶シャッターにおける透過の状態にすることができ、しかも、従来の液晶シャッターによる透明度の低さを解消することができる。また、光源をそれぞれ独立して駆動させることや、光源としてＬＥＤ素子を用いることなどにより、液晶パネルのバックライトとして、照明のさせ方の自由度を向上させることができ、液晶パネルの表示画面に対する見栄えの自由度を向上させることができる。
【００２３】
（適用例９）上記の液晶表示装置であって、バックライトユニットを、少なくとも２系統有し、液晶パネルに対して、外周側からそれぞれ移動自在となることが好ましい。
【００２４】
このような液晶表示装置によると、少なくとも２系統有するバックライトユニットが、それぞれ液晶パネルの外周側から移動自在となるため、照明のさせ方の自由度を更に向上させることができ、液晶パネルの表示画面に対する見栄えの自由度を更に向上させることができる。
【００２５】
（適用例１０）本適用例に係る電子機器は、上記適用例として記述したいずれかの液晶表示装置と、液晶表示装置の後方に配設される対象物と、を備え、液晶表示装置の前方から液晶表示装置を介して対象物を視認することを特徴とする。
【００２６】
このような電子機器によると、上述した液晶表示装置の効果を奏する電子機器が実現する。また、特に、上述した液晶表示装置に備わる液晶パネルの表示画面の輝度を向上させることで、表示画面を明るく見易くさせることができる。また、バックライトユニットをシャッターとして使用することで、従来のように透過率の低い液晶シャッターを介することがなく、対象物を液晶パネルを介する（透過させる）ことだけで見ることができ、対象物の視認性を向上させることができる。また、バックライトユニットを収容した場合に光源を点灯させることにより、対象物を照明することで、更に対象物の視認性を向上させることができる。また、液晶パネルの表示画面に対する見栄えの自由度を向上させることができる。
例えば、電子機器としての遊技機（例えば、回胴式遊技機など）は、バックライトユニットにより照明されることで、表示画面の輝度を向上させ、表示画面を明るく見易くさせることができる。また、バックライトユニットをシャッターとして使用することで、回転表示体などを液晶パネルを介する（透過させる）ことだけで見ることができ、回転表示体などの視認性を向上させることができる。また、バックライトユニットを収容した場合に光源を点灯させることにより、回転表示体などを照明することで、更に回転表示体などの視認性を向上させることができる。また、液晶パネルの表示画面に対する見栄えの自由度を向上させることができるため、遊技機の演出効果を高めることができる。
【発明を実施するための最良の形態】
【００２７】
以下、実施形態を図面に基づいて説明する。
（第１実施形態）
【００２８】
図１は、第１実施形態に係る液晶表示装置の斜視図である。また、図１は、液晶表示装置７０を電子機器としての遊技機９０に適用した場合の、液晶表示装置７０と、対象物としての回転表示体８０とを示している。図１を参照して、液晶表示装置７０の構成および動作を説明する。
【００２９】
液晶表示装置７０は、透過型の液晶パネル６０と、液晶パネル６０を背後から照明する照明装置５０とを備えて構成されている。また、照明装置５０は、バックライトユニット１０と、駆動部２０と、保持枠３０とを備えて構成されている。
【００３０】
バックライトユニット１０は、導光板１１０と光源１２０とから構成されるバックライト１００と、そのバックライト１００を連結するための連結部１３０とを有しており、連結部１３０により、複数のバックライト１００を相互に連結して構成されている。そして、バックライトユニット１０は、液晶パネル６０の背面側（後方）に位置し、また、液晶パネル６０の背面に略平行となるように配設されている。
【００３１】
駆動部２０は、本実施形態では、バックライトユニット１０を移動自在に巻き取り収容および展開する巻取部２００を備えて構成されている。巻取部２００は、１つの円柱状のローラ２１０とローラ２１０を回動させるモータ（図示省略）などで構成されている。このローラ２１０は、バックライトユニット１０の後方上側に配設されており、バックライト１００の左右端面方向に延びて配設されている。また、ローラ２１０は、一方の端面側の中心部（図示省略）がモータの駆動軸と接続されて、モータの回動に従動して回動する。また、ローラ２１０は、その側面において、バックライトユニット１０の最上段に位置する１つのバックライト１００の連結部１３０ａを回動自在に支持固定している。バックライトユニット１０は、ローラ２１０の回動により、移動自在となり、ローラ２１０に巻き取られて収容される移動や、また逆に、展開される移動を行なう。
【００３２】
保持枠３０は、バックライトユニット１０およびローラ２１０の両側の端面側に配設されている。そして、一方の保持枠３１０には、バックライトユニット１０の連結部１３０を案内して移動を滑らかに行なわせるための案内溝３１１が形成されている。また、一方の保持枠３１０には、モータを固定し、併せてローラ２１０を回動自在に保持する保持部（図示省略）や、後述する回路基板ユニット４０を収容する収容部（図示省略）などが形成されている。また、他方の保持枠（図示省略）には、同様の案内溝（図示省略）や、ローラ２１０を回動自在に保持する保持部（図示省略）が形成されている。この双方の保持枠３０により、ローラ２１０およびバックライトユニット１０が案内されて動作する。
【００３３】
なお、一方の保持枠３１０が収容する回路基板ユニット４０には、液晶パネル６０やモータを駆動する電気素子（図示省略）が実装され配線されている。なお、液晶パネル６０は、フレキシブル基板（図示省略）を介して、回路基板ユニット４０と接続されている。
【００３４】
また、液晶表示装置７０は、液晶パネル６０と照明装置５０とを収容する金属製の固定枠（図示省略）に収容されてユニットとして構成されている。そして、この液晶表示装置７０は、合成樹脂製の外枠（図示省略）に納められて、遊技機９０の後述する対象物としての回転表示体８０の前方に固定される。
【００３５】
これにより、回転表示体８０は、バックライトユニット１０の背面側（後方）に位置することになる。なお、回転表示体８０は、従来の遊技機に使用されているものと略同様であり、円筒状で複数個並べて配設されている。また、本実施形態では、回転表示体８０は、３つの回転表示体８０（８０ａ，８０ｂ，８０ｃ）が並べられている。そして、回転表示体８０のそれぞれの側面には、多数の絵柄が形成されている。なお、この回転表示体８０は、それぞれが独立して回転を行なう仕様となっている。
【００３６】
また、このように構成された遊技機９０に対して、ユーザ（遊技者）は、遊技機９０に向かって、液晶パネル６０の見切り領域６１内（表示領域内）を視認することになる。
【００３７】
図２は、バックライトユニットを構成する１つのバックライトを示す斜視図であり、図２（ａ）は、バックライトを上方から見た斜視図であり、図２（ｂ）は、バックライトを下方から見た斜視図である。図２を参照して、バックライト１００の構成および動作を説明する。
【００３８】
バックライト１００は、導光板１１０と光源１２０とから構成されている。導光板１１０は、短冊状に形成されており、アクリル樹脂製の導光板本体１１１と、導光板本体１１１の背面に設置されるプリズムシート１１２と、プリズムシート１１２の背面に設置される反射板１１３とで構成されている。なお、導光板本体１１１は、アクリル樹脂以外に、透明な合成樹脂や透明な無機材料で形成してもよい。
【００３９】
また、導光板１１０の左右の側面（端面）には、光源１２０が実装されて配線された回路基板１２５が固定されている。この光源１２０は、本実施形態では、ＬＥＤ（Light Emitting Diode）素子を用いており、順方向への電流の印加により発光し、白色の色光を射出する。また、この光源１２０は、回路基板１２５に形成する開口部（図示省略）を介して、導光板１１０の端面から内部に向けて光を射出する構成としている。なお、光源１２０は、ＬＥＤ素子以外に、フィラメントを使用する小型のランプなども使用することができる。
【００４０】
上述の導光板１１０は、導光板１１０の側面（端面）から内部に入射した光源１２０からの光を、反射板１１３で前方に反射させ、また、プリズムシート１１２で、光が同一方向（導光板本体１１１の前面に略垂直な方向）に向くように屈折させる。そして、導光板本体１１１内部を導光させて、導光板本体１１１の前面から略垂直方向に射出させる。このようにして、導光板１１０は、光源１２０からの光を、導光板本体１１１の前面から略垂直方向に効率よく射出させる。なお、導光板本体１１１内部には、拡散剤が添加されており、導光する光は、拡散剤により拡散され、一様な明るさとなり導光板１１０から射出される。
【００４１】
また、導光板１１０は、反射板１１３の背面側で、上側および下側の角部には、それぞれのバックライト１００を相互に連結させる連結部１３０が構成されている。この連結部１３０は、導光板１１０の上側の角部に構成される一対の円柱状に形成される連結受部１３１と、導光板１１０の下側の角部に構成される一対の連結突起部１３５とで構成されている。また、連結受部１３１は、導光板１１０の端面から突出する案内部１３３と、連結突起部１３５の突起部１３７を受けるための孔部１３２ａを有する円筒状に形成される挿入受部１３２とから構成されている。また、連結突起部１３５は、連結受部１３１の挿入受部１３２に挿入する棒状に形成された突起部１３７と、この突起部１３７を導光板１１０に固定している円柱状に形成される突起固定部１３６とから構成されている。
【００４２】
このように構成されるバックライト１００を、連結部１３０において連結する場合、１つのバックライト１００の上側の連結受部１３１に、このバックライト１００の上方に位置する他のバックライト１００の連結突起部１３５を連結する。また、１つのバックライト１００の下側の連結突起部１３５に、このバックライト１００の下方に位置する他のバックライト１００の連結受部１３１を連結する。連結は、連結受部１３１の挿入受部１３２に形成する孔部１３２ａに、連結突起部１３５の突起部１３７を挿入することにより行なう。この連結により、突起部１３７は、挿入受部１３２に回動自在に保持固定される。なお、この連結動作を、使用するバックライト１００の個数分繰り返すことで、バックライトユニット１０が完成する。
【００４３】
なお、バックライト１００の両端面から突出する連結受部１３１の案内部１３３は、図１で示したように、保持枠３０に形成される案内溝３１１に案内される。そして、バックライト１００の案内部１３３は、移動において、案内溝３１１に案内され、上下方向および前後方向に規制されることにより、バックライトユニット１０に安定した移動を行なわせるものである。
【００４４】
なお、光源１２０を実装する回路基板１２５は、フレキシブル基板（図示省略）を介して、回路基板ユニット４０と接続されている。なおこのフレキシブル基板は、導光板１１０の背面側および対に形成される連結部１３０の間に配設され、バックライトユニット１０の移動に従動できるように形成されている。
【００４５】
図３は、液晶表示装置の概略断面図であり、図３（ａ）は、バックライトユニットを展開して回転表示体を遮蔽した図であり、図３（ｂ）は、バックライトユニットを巻き取って回転表示体を開放した図である。図３を参照して、バックライトユニット１０の動作とその動作に伴う液晶表示装置７０の動作を説明する。
【００４６】
図３（ａ）は、図１に示した斜視図の断面でもある。図３（ａ）に示すように、液晶表示装置７０は、液晶パネル６０の後方に照明装置５０が配設され、その後方に回転表示体８０が配設される。また、液晶表示装置７０は、固定枠７５に収容されている。そして、液晶パネル６０は、固定枠７５に形成した開口部７５ａを介して表示画像を表示する。なお、液晶パネル６０は、見切り領域６１内で、表示画像を形成する。
【００４７】
バックライトユニット１０は、上述したように、最上段に位置する１つのバックライト１００ａが、ローラ２１０に回動自在に支持されて固定される。また、本実施形態では、バックライトユニット１０は、８つのバックライト１００（最上段から順に、バックライト１００ａ〜１００ｈとする）を連結部１３０により相互に連結して構成されている。また、バックライトユニット１０は、保持枠３０（図１参照）の案内溝３１１（図１参照）に案内され、液晶パネル６０の背面側に略平行に配設される形態となる。
【００４８】
また、図３（ａ）は、ローラ２１０が反時計回りに回転することにより、収容していたバックライトユニット１０を展開しながら最大の回転位置に停止した状態を示している。この動作により、バックライトユニット１０は、液晶パネル６０の背面側の全領域に位置することになる。この状態で、バックライトユニット１０は、液晶パネル６０に光を射出することにより、透過型の液晶パネル６０に形成される画像を前方に反射させる。これにより、遊技者は、液晶パネル６０の前方から、画像を視認することができる。視認される画像は、従来の液晶シャッターを用いて反射させた画像に比較して、輝度が高く明るい画像となっている。なお、この状態では、照明装置５０の後方に配設される回転表示体８０は、バックライトユニット１０により遮蔽される。そのため、遊技者は、液晶パネル６０の前方から、回転表示体８０を視認することはできない。
【００４９】
図３（ｂ）は、ローラ２１０を時計回りに回転することにより、展開していたバックライトユニット１０を巻き取りながら所定の回転位置に停止した状態を示している。巻き取りは、ローラ２１０の回転により、バックライトユニット１０の最上段に位置するバックライト１００ａから、順次、ローラ２１０の側面部に巻き取ることになる。なお、本実施形態では、バックライト１００ｇ，１００ｈは、巻き取られずに、案内溝３１１に案内されて液晶パネル６０の背面側に位置する設定としている。
【００５０】
この動作により、液晶表示装置７０は、液晶パネル６０の見切り領域６１に対して、液晶パネル６０の背面側に、バックライト１００が位置しない領域と、位置する領域とが両方存在する状態を有することになる。バックライト１００が位置しない領域を透過領域６２、位置する領域を反射領域６３とする。
【００５１】
図３（ｂ）に示す状態で、バックライトユニット１０（各バックライト１００ａ〜１００ｈ）が、光を射出することにより、バックライト１００ａ〜１００ｃから射出した光は、回転表示体８０を照明する。また、バックライト１００ｇ，１００ｈから射出した光は、液晶パネル６０を背面から照明する。これにより、遊技者は、液晶パネル６０の前方から、液晶パネル６０の透過領域６２を介して（透過して）、バックライト１００により照明される明るい回転表示体８０を視認することができる。また、遊技者は、液晶パネル６０の前方から、液晶パネル６０の反射領域６３において、液晶パネル６０に形成される輝度が高く明るい画像を視認することができる。
【００５２】
図４は、液晶表示装置を駆動するための概略の回路ブロック図である。図４を参照して、液晶表示装置７０の回路的な構成と動作を説明する。
【００５３】
液晶表示装置７０は、ローラ２１０の回転位置を検出する位置検出部４１０と、ローラ２１０を回転駆動させるための駆動部２０と、液晶パネル６０を駆動させる液晶パネル駆動部４３０と、液晶パネル駆動部４３０に適切な画像信号を作成して送る画像処理部４２０と、遊技機９０側からの制御信号により、各部の動作のタイミングなどを含め、駆動部２０や画像処理部４２０などを統括して制御する制御部４００などで構成されている。なお、各構成部の電気素子は、前述した回路基板ユニット４０として実装および配線されている。
【００５４】
位置検出部４１０は、バックライトユニット１０の位置を、ローラ２１０の回転位置で代用して検出し、制御部４００に信号を出力している。詳細には、位置検出部４１０は、ローラ２１０の一方の端面に設置され、等角度毎に形成された反射面を有する反射部材（図示省略）と、回路基板ユニット４０に実装されて反射部材に光を投光し、その反射した光を受光する光センサ（図示省略）とを有して構成されている。そして、検出される信号を制御部４００に出力する。
【００５５】
画像処理部４２０は、液晶パネル６０に表示する画像を形成するものである。画像処理部４２０は、制御部４００からの信号により、画像処理部４２０のメモリに記憶する画像データを読み出して処理し、制御部４００からの信号に対応する画像を形成し、表示用画像信号として液晶パネル駆動部４３０に出力する。液晶パネル駆動部４３０は、画像処理部４２０から入力した表示用画像信号を液晶パネル６０に出力して駆動する。
【００５６】
ここで、画像処理部４２０は、遊技機９０側からの制御信号を受けた制御部４００からの信号により、種々の表示用画像信号を形成することができる。例えば、図３（ａ）に示したように、駆動部２０により、バックライトユニット１０が液晶パネル６０の背面側全体を覆う（回転表示体８０を遮蔽する）位置になった場合、この時のローラ２１０の位置を位置検出部４１０により検出する。その検出した信号が制御部４００に入力され、制御部４００は、画像処理部４２０に対して、回転表示体８０を視認させない場合の所定の画像（液晶パネル６０に反射させて表示する画像）を形成させる信号を出力する。その信号により、画像処理部４２０は、メモリから対応する画像データを読み出して処理し、表示用画像信号を液晶パネル駆動部４３０に出力する。これにより、液晶パネル６０は、回転表示体８０を視認させない場合の所定の画像を表示させる。
【００５７】
また、図３（ｂ）に示したように、駆動部２０により、バックライトユニット１０が液晶パネル６０に対して、透過領域６２と反射領域６３とを有する状態となった場合、この時のローラ２１０の位置を位置検出部４１０により検出する。その検出した信号が制御部４００に入力され、制御部４００は、画像処理部４２０に対して、透過領域６２と反射領域６３とを有する状態とに対応する所定の画像を形成させる信号を出力する。その信号により、画像処理部４２０は、メモリから対応する画像データを読み出して処理し、表示用画像信号を液晶パネル駆動部４３０に出力する。
【００５８】
これにより、液晶パネル６０は、透過領域６２と反射領域６３とに対応する所定の画像を表示させる。本実施形態では、透過領域６２に対しては、画像表示はさせず、回転表示体８０が、透過領域６２を透過する。なお、回転表示体８０は、このとき、それぞれ回転を開始する。また、反射領域６３に対しては、回転表示体８０の回転に伴う所定の画像が表示される。
【００５９】
また、本実施形態では、制御部４００は、バックライトユニット１０が回転表示体８０を完全に遮蔽する状態（図３（ａ）に示す状態）から巻き取った状態（図３（ｂ）に示す状態）に移動する途中の場合においても画像を制御している。この状態では、バックライトユニット１０が巻き取られるに従って、透過領域６２が拡大し、反射領域６３は縮小していく。この変化を位置検出部４１０によって検出しながら、その位置における反射領域６３に対応する画像を形成し、反射領域６３に随時表示させている。また、これとは逆に、バックライトユニット１０が巻き取った状態（図３（ｂ）に示す状態）から展開し、回転表示体８０を完全に遮蔽する状態（図３（ａ）に示す状態）に移動する途中の場合においても同様に画像を制御している。
【００６０】
このような動作（表示）を行なうことにより、遊技機９０の表示における演出効果を高め、遊技に対する期待感を増し、遊技の面白さを向上させている。
【００６１】
上述した実施形態によれば以下の効果が得られる。
（１）本実施形態の液晶表示装置７０または照明装置５０によると、それぞれの導光板１１０の側面（端面）に光源１２０が配設されて、バックライト１００が構成されている。これにより、確実にそれぞれの導光板１１０に光源１２０からの光を導光させることで、従来の液晶シャッターを用いる場合に比べて、バックライトとしての反射率を向上し、また、被照明物としての液晶パネル６０を照明（反射）する輝度を向上できる。従って、液晶パネル６０に表示される画像の視認性を向上できる。また、それぞれの導光板１１０が連結部１３０で連結されてバックライトユニット１０が構成されていることにより、バックライトユニット１０に柔軟性を持たせることができる。
【００６２】
（２）本実施形態の液晶表示装置７０または照明装置５０によると、駆動部２０により、液晶パネル６０に対してバックライトユニット１０を移動自在とさせている。これにより、液晶パネル６０に対してバックライトユニット１０が後方に位置するように移動させることで、液晶パネル６０に対して導光板１１０から射出する光で照明（反射）させることができる。また、液晶パネル６０に対してバックライトユニット１０が後方に位置しないように移動させることで、液晶パネル６０に対して反射させずに透過させることができる。また、液晶パネル６０に対してバックライトユニット１０が後方に位置する状態（反射領域６３に対応する状態）と、位置しない状態（透過領域６２に対応する状態）とを同時に有する状態にすることもできる。これにより、照明装置５０としての使用形態の自由度を向上させることができる。また、液晶パネル６０が透過性を有するため、バックライトユニット１０が液晶パネル６０の後方での位置を、移動自在とすることで、従来の液晶を用いたシャッターとしての機能をこのバックライトユニット１０に持たせることができると共に、従来の液晶シャッターにおける、透過性の問題も解決でき、液晶パネル６０を介して、回転表示体８０をクリアに視認することができる。
【００６３】
（３）本実施形態の液晶表示装置７０または照明装置５０によると、駆動部２０は、巻取部としてのローラ２１０を備えてバックライトユニット１０を巻き取り収容および展開することにより、バックライトユニット１０の移動を効率的に行なわせることができる。
【００６４】
（４）本実施形態の液晶表示装置７０または照明装置５０によると、バックライトユニット１０を収容した状態で光源１２０を点灯させることにより、バックライトユニット１０の後方に配設される回転表示体８０を照明することができる。そのため、液晶パネル６０を透過させた場合にも、液晶パネル６０の前方から、液晶パネル６０を介して回転表示体８０を視認し易くさせることができる。
【００６５】
（５）本実施形態の液晶表示装置７０または照明装置５０によると、光源１２０としてＬＥＤ素子を用いることにより、バックライトユニット１０の小型化を図れる。
【００６６】
（６）本実施形態の液晶表示装置７０または照明装置５０を用いた電子機器としての遊技機９０は、バックライトユニット１０により照明されることで、液晶パネル６０の表示画面の輝度を向上させ、表示画面を明るく見易くさせることができる。また、バックライトユニット１０をシャッターとして使用することで、従来のように透過率の低い液晶シャッターを介することがなく、回転表示体８０を液晶パネル６０を介することだけで見ることができ、回転表示体８０の視認性を向上させることができる。また、バックライトユニット１０を収容した場合に光源１２０を点灯させることにより、回転表示体８０を照明することで、更に回転表示体８０の視認性を向上させることができる。また、液晶パネル６０の表示画面における表示の自由度を向上させることができるため、遊技機９０の表示における演出効果を高めることができる。
【００６７】
（７）本実施形態の液晶表示装置７０または照明装置５０を、遊技機９０に設置する場合、回転表示体８０の前方に配設することになる。この場合、従来は、液晶パネルの後方で、液晶パネルの見切り範囲の外周側に額縁状の導光部材を配設する構造となっていたが、本実施形態では、従来の導光部材を用いないため、遊技機９０内で設定される液晶表示装置７０の配設できるスペースが従来と同様の場合、液晶パネル６０の見切り範囲６１を従来に比べて拡大することができる。従って、従来に比べて、液晶パネル６０の表示領域を拡大することができる。また、従来と同様の表示領域とする場合には、従来に比べて、液晶表示装置７０を小型化することができる。
（第２実施形態）
【００６８】
図５は、第２実施形態に係る液晶表示装置の概略断面図である。図５を参照して、液晶表示装置７０Ａおよび照明装置５０Ａの構成を説明する。
【００６９】
本実施形態の照明装置５０Ａは、２系統のバックライトユニット１０Ａ，１０Ｂを用いていることが、第１実施形態での照明装置５０と異なるところである。一方のバックライトユニット１０Ａは、５つのバックライト１０１（最上段から順に、バックライト１０１ａ〜１０１ｅとする）を相互に連結して構成されている。また、同様に、他方のバックライトユニット１０Ｂは、５つのバックライト１０２（最下段から順に、バックライト１０２ａ〜１０２ｅとする）を相互に連結して構成されている。なお、バックライト１０１，１０２のその他の構成は第１実施形態のバックライト１００と同様である。また、バックライトユニット１０Ａ，１０Ｂは、第１実施形態と同様に、保持枠（図示省略）の案内溝（図示省略）に案内され、液晶パネル６０Ａの背面側に略平行に配設される形態となる。
【００７０】
また、バックライトユニット１０Ａ，１０Ｂは、液晶パネル６０Ａの外周側となる上側および下側からそれぞれ移動自在に配設されている。詳細には、バックライトユニット１０Ａは、液晶パネル６０Ａの上側に配設され、第１実施形態と同様に、ローラ２１０Ａにバックライト１０１ａが連結されて、ローラ２１０Ａの時計回りの回転により巻き取られ、また逆に、反時計回りの回転により展開することができる。また、バックライトユニット１０Ｂは、液晶パネル６０Ａの下側に配設され、バックライトユニット１０Ａと同様に構成され、ローラ２１０Ｂにバックライト１０２ａが連結されて、ローラ２１０Ｂの反時計回りの回転により巻き取られ、また逆に、時計回りの回転により展開することができる。バックライトユニット１０Ａは、ローラ２１０Ａに巻き取られることにより上方に移動する。またバックライトユニット１０Ｂは、ローラ２１０Ｂに巻き取られることにより、逆に、下方に移動する。展開する場合には、それぞれ巻き取りと逆方向への移動を行なう。
【００７１】
なお、バックライトユニット１０Ａは液晶パネル６０Ａの後方（背面側）に位置し、展開した場合、液晶パネル６０Ａの略上部半分の領域を占める。また、バックライトユニット１０Ｂも液晶パネル６０Ａの後方（背面側）に位置し、展開した場合、液晶パネル６０Ａの略下部半分の領域を占める。これにより、バックライトユニット１０Ａ，１０Ｂの双方が展開した場合には、液晶パネル６０Ａの背面側の全領域を占めるように位置することになる。
【００７２】
図５に示す状態は、バックライトユニット１０Ａ，１０Ｂの双方が、巻き取られた状態での位置関係を示している。本実施形態では、ローラ２１０Ａの回転により、バックライトユニット１０Ａが巻き取られた場合、バックライト１０１ｄ，１０１ｅは、巻き取られずに、案内溝に案内されて液晶パネル６０Ａの背面側に位置する設定としている。また、ローラ２１０Ｂの回転により、バックライトユニット１０Ｂが巻き取られた場合、バックライト１０２ｄ，１０２ｅは、巻き取られずに、案内溝に案内されて液晶パネル６０Ａの背面側に位置する設定としている。
【００７３】
バックライトユニット１０Ａ，１０Ｂの双方が、巻き取られた場合、液晶表示装置７０Ａは、液晶パネル６０Ａの見切り領域６１Ａに対して、液晶パネル６０Ａの背面側に、バックライト１０１，１０２が位置しない領域と、位置する領域とが両方存在する状態を有することなる。バックライト１０１，１０２が位置しない領域を透過領域６２Ａ、バックライト１０１が位置する領域を第１反射領域６３Ａ、バックライト１０２が位置する領域を第２反射領域６３Ｂとする。
【００７４】
この状態において、本実施形態では、バックライトユニット１０Ａは、バックライト１０１ｄ，１０１ｅの２つが光を射出する（バックライト１０１ｄ，１０１ｅのそれぞれの光源（図示省略）を点灯させる）。なお、他のバックライト１０１ａ〜１０１ｃは光を射出しない（バックライト１０１ａ〜１０１ｃのそれぞれの光源（図示省略）を消灯させる）。また、同様に、バックライトユニット１０Ｂは、バックライト１０２ｄ，１０２ｅの２つが光を射出する（バックライト１０２ｄ，１０２ｅのそれぞれの光源（図示省略）を点灯させる）。なお、他のバックライト１０２ａ〜１０２ｃは光を射出しない（バックライト１０２ａ〜１０２ｃのそれぞれの光源（図示省略）を消灯させる）。
【００７５】
本実施形態では、バックライトユニット１０Ａ，１０Ｂを構成するバックライト１０１，１０２は、光源を個々に独立して駆動（点灯/消灯）させることが可能であり、図４に示した制御部４００と同様の制御部（図示省略）で制御を行なう。このとき、位置検出部（図示省略）が検出するバックライト１０１，１０２の位置に応じて、液晶パネル６０Ａの見切り領域６１Ａの背面に位置するバックライト１０１，１０２に対して、光源を点灯させ、位置しないバックライト１０１，１０２に対して、光源を消灯させる制御を行なっている。
【００７６】
また、照明装置５０Ａの後方に配設される回転表示体８０Ａの内部には、照明用ランプ８１が備えられている。そして、照明用ランプ８１が点灯することにより、回転表示体８０Ａが内部から照明され、回転表示体８０Ａ自体と、回転表示体８０Ａの側面に形成される絵柄などが視認できることになる。
【００７７】
これにより、図５に示す状態において、バックライトユニット１０Ａ（バックライト１０１ｄ，１０１ｅ）から射出した光は、液晶パネル６０Ａの第１反射領域６３Ａを背面から照明する。これにより、遊技者は、液晶パネル６０Ａの前方から、液晶パネル６０Ａの第１反射領域６３Ａにおいて、液晶パネル６０Ａに形成される画像を、輝度が高く明るい画像として視認することができる。また、バックライトユニット１０Ｂ（バックライト１０２ｄ，１０２ｅ）から射出した光は、液晶パネル６０Ａの第２反射領域６３Ｂを背面から照明する。これにより、遊技者は、液晶パネル６０Ａの前方から、液晶パネル６０Ａの第２反射領域６３Ｂにおいて、液晶パネル６０Ａに形成される画像を、輝度が高く明るい画像として視認することができる。また、照明用ランプ８１が回転表示体８０Ａを内部から照明することにより、遊技者は、液晶パネル６０Ａの前方から、液晶パネル６０Ａの透過領域６２Ａを介して（透過して）、明るい回転表示体８０Ａを視認することができる。
【００７８】
また、バックライトユニット１０Ａ，１０Ｂの双方が展開された場合、バックライトユニット１０Ａ，１０Ｂは、液晶パネル６０Ａの背面で、見切り領域６１Ａの上下方向の半分の領域に対して、それぞれ位置することになる。この動作により、バックライトユニット１０Ａ，１０Ｂは、液晶パネル６０Ａの背面側の全領域に位置することになる。この状態において、バックライト１０１，１０２は、全て点灯することになる。これにより、透過型の液晶パネル６０Ａに形成される画像を前方に反射させる。これにより、遊技者は、液晶パネル６０Ａの前方から、液晶パネル６０Ａの見切り領域６１Ａの全領域において、液晶パネル６０Ａに形成される画像を、輝度が高く明るい画像として視認することができる。なお、この状態では、回転表示体８０Ａは、バックライトユニット１０Ａ，１０Ｂにより遮蔽される。そのため、遊技者は、液晶パネル６０Ａの前方から、回転表示体８０Ａを視認することはできない。
【００７９】
なお、本実施形態でも第１実施形態と同様に、制御部は、バックライトユニット１０Ａ，１０Ｂが回転表示体８０Ａを完全に遮蔽する状態から巻き取った状態（図５に示す状態）に移動する途中の場合においても画像を制御している。この状態では、バックライトユニット１０Ａ，１０Ｂが巻き取られるに従って、透過領域６２Ａが拡大し、第１反射領域６３Ａ、第２反射領域６３Ｂは縮小していく。この変化を位置検出部（図示省略）によって検出しながら、その位置における第１反射領域６３Ａ、第２反射領域６３Ｂに対応する画像を形成し、第１反射領域６３Ａ、第２反射領域６３Ｂに随時表示させている。
【００８０】
また、これとは逆に、バックライトユニット１０Ａ，１０Ｂを巻き取った状態（図５に示す状態）から展開し、回転表示体８０Ａを完全に遮蔽する状態に移動する途中の場合においても同様に画像を制御している。また、制御部は、第１反射領域６３Ａ、第２反射領域６３Ｂに対応する（位置する）バックライト１０１，１０２のみを点灯させ、その他のバックライト１０１，１０２は消灯させる制御を行なっている。
【００８１】
上述した実施形態によれば第１実施形態と同様の効果を奏する他、以下の効果が得られる。
（１）本実施形態の液晶表示装置７０Ａまたは照明装置５０Ａは、２系統のバックライトユニット１０Ａ，１０Ｂを有して構成される。また、バックライトユニット１０Ａ，１０Ｂは、それぞれ液晶パネル６０Ａの外周側となる上側および下側に配設され、上下方向に移動自在となるため、照明のさせ方の自由度を更に向上させることができ、液晶パネル６０Ａの表示画面に対する見栄えの自由度を更に向上させることができる。
【００８２】
（２）本実施形態の液晶表示装置７０Ａまたは照明装置５０Ａによると、バックライトユニット１０Ａ，１０Ｂを構成するバックライト１０１，１０２は、光源を独立して駆動（点灯/消灯）させることができるため、バックライトユニット１０Ａ，１０Ｂの照明のさせ方の自由度を更に向上させることができる。
【００８３】
（３）本実施形態の液晶表示装置７０Ａまたは照明装置５０Ａを用いた電子機器としての遊技機９０Ａによると、２系統のバックライトユニット１０Ａ，１０Ｂを用いて、液晶パネル６０Ａの外周側となる上側および下側に配設され、上下方向に移動自在とすることにより、遊技機９０Ａの表示における演出効果を更に高めることができる。
（第３実施形態）
【００８４】
図６は、第３実施形態に係る液晶表示装置の概略断面図である。図６を参照して、液晶表示装置７０Ｂおよび照明装置５０Ｂの構成を説明する。
【００８５】
本実施形態の照明装置５０Ｂは、湾曲形状を有する液晶パネル６０Ｂが液晶表示装置７０Ｂに用いられる場合に対応させている。詳細には、本実施形態の照明装置５０Ｂを構成する各バックライト１０３は、表面が曲面形状を有して短冊状に形成されている。そして、このバックライト１０３を連結部１３０で相互に連結してバックライトユニット１０Ｃを構成している。この構成により、バックライトユニット１０Ｃは、滑らかな曲面形状となる。
【００８６】
なお、このバックライトユニット１０Ｃに対応させて、図示しない保持枠に形成する案内溝３１１Ｂ（斜線で示す）も湾曲させて形成している。このバックライトユニット１０Ｃは、第１実施形態と同様に、ローラ２１０Ｃにより巻き取り収容および展開が自由である。その他の構成は、第１実施形態と同様となる。このようなバックライトユニット１０Ｃを有する照明装置５０Ｂを、液晶パネル６０Ｂの後方に配設して液晶表示装置７０Ｂを構成している。また、このような液晶表示装置７０Ｂを遊技機９０Ｂに適用し、回転表示体８０Ｂをバックライトユニット１０Ｃの後方に配設している。
【００８７】
上述した実施形態によれば第１実施形態と同様の効果を奏する他、以下の効果が得られる。
（１）本実施形態の液晶表示装置７０Ｂまたは照明装置５０Ｂによると、バックライトユニット１０Ｃが、曲面形状となるように構成されている。これにより、曲面形状を有する液晶パネル６０Ｂに略沿った形態でバックライトユニット１０Ｃを配設することができるため、液晶パネル６０Ｂの形状に沿った照明が行なえ、曲面形状を有する液晶パネル６０Ｂに対して均一な照明が可能となる。
【００８８】
（２）本実施形態の液晶表示装置７０Ｂまたは照明装置５０Ｂによると、遊技機９０Ｂにおける表示のさせ方や見せ方に自由度が出るため、遊技機９０Ｂの表示における演出効果を更に高めることができる。
（第４実施形態）
【００８９】
図７は、第４実施形態に係るバックライトユニットの概略断面図であり、図７（ａ）は、バックライトユニットを展開した状態の概略断面図であり、図７（ｂ）は、バックライトユニットを折り畳んだ状態の概略断面図である。図７を参照して、バックライトユニット１０Ｄの構成および動作を説明する。
【００９０】
本実施形態のバックライトユニット１０Ｄは、第１実施形態のバックライトユニット１０が巻き取られて収容されたのに対して、折り畳まれて収容される。バックライトユニット１０Ｄは、複数の短冊状のバックライト１０４により構成されている。そして、それぞれのバックライト１０４を相互に連結する連結部１４０が第１実施形態の連結部１３０と異なっている。
【００９１】
図７（ａ）に示すように、連結部１４０は、バックライト１０４の背面側と前面側との角部において対角上に設置されている。そして、このバックライト１０４を相互に順次連結することにより、それぞれのバックライト１０４が連結部１４０に支持され回動自在となる。なお、バックライト１０４のその他の構成は第１実施形態のバックライト１００と同様である。
【００９２】
図７（ｂ）に示すように、バックライトユニット１０Ｄを折り畳む場合には、例えば、連結部１４０ａを支点として折り畳む場合、次の連結部１４０ｂが図面右方向で上方向に移動する。また、次の連結部１４０ｃは、連結部１４０ｂの移動に従動して、図面上方向に移動する。また、次の連結部１４０ｄは、連結部１４０ｂと連結部１４０ｃとの移動に従動して、図面右方向で上方向に移動する。
【００９３】
このような移動を繰り返すことにより、図７（ｂ）に示すように、バックライトユニット１０Ｄが折り畳まれて収容した形態となる。なお、連結部１４０は、本実施形態では、駆動部としての折畳部（図示省略）に連結されて、上述した移動を行なうことになる。折畳部は、リンク機構（図示省略）や、リンク機構を動作させるモータ（図示省略）などを備えて構成される。
【００９４】
このようなバックライトユニット１０Ｄを、略第１実施形態と同様に構成することにより、照明装置（図示省略）を構成し、また、液晶表示装置（図示省略）を構成し、遊技機（図示省略）に使用することができる。
【００９５】
上述した実施形態によれば第１実施形態と同様の効果を奏する他、以下の効果が得られる。
（１）本実施形態のバックライトユニット１０Ｄは、折り畳み収容および展開する折畳部により、バックライトユニット１０Ｄの移動を効率的に行なわせることができる。
【００９６】
なお、上述した実施形態に限定されず、種々の変更や改良などを加えて実施することが可能である。変形例を以下に述べる。
【００９７】
（変形例１）前記第１実施形態のバックライトユニット１０は、バックライト１００と、バックライト１００を複数連結する連結部１３０で構成されており、被照明物としての液晶パネル６０に対して照明装置５０として用いている。しかし、これに限られず、液晶パネル６０以外の被照明物に対する照明装置としても適用できる。
【００９８】
（変形例２）前記第１実施形態のバックライトユニット１０は、駆動部２０を有し、液晶パネル６０に対して移動自在とさせているが、これに限られず、液晶パネル６０以外の被照明物に対して移動自在とさせてもよい。
【００９９】
（変形例３）前記第１実施形態のバックライトユニット１０は、ローラ２１０によりバックライトユニット１０を収容した状態で光源１２０を点灯させ、回転表示体８０を照明しているが、これに限られず、収容したバックライト１００は消灯させ、回転表示体８０を照明するランプを別に設置することでもよい。
【０１００】
（変形例４）前記第１実施形態のバックライトユニット１０は、液晶パネル６０の上方に巻き取られる形態としているが、これに限られず、液晶パネル６０のいずれかの外周方向に巻き取られる形態としてもよい。
【０１０１】
（変形例５）前記第１実施形態のバックライト１００を構成する導光板１１０の設置構造は、導光板本体１１１の背面にプリズムシート１１２が設置され、プリズムシート１１２の背面に反射板１１３が設置されている。しかし、これに限られず、導光板本体１１１の前面にプリズムシート１１２が設置され、導光板本体１１１の背面に反射板１１３が設置される構造でもよい。
【０１０２】
（変形例６）前記第２実施形態のバックライトユニットは、２系統のバックライトユニット１０Ａ，１０Ｂを用いて、液晶パネル６０Ａの上側および下側に配設されているが、これに限られず、液晶パネル６０Ａの外周側に配設することでよい。例えば、液晶パネル６０Ａの左右側に配設することでもよい。
【０１０３】
（変形例７）前記第２実施形態のバックライトユニットは、２系統のバックライトユニット１０Ａ，１０Ｂを用いているが、これに限られず、２系統より多くのバックライトユニットを用いて、液晶パネル６０Ａの外周側に配設することでもよい。
【０１０４】
（変形例８）前記第３実施形態のバックライトユニット１０Ｃは、被照明物として湾曲した液晶パネル６０Ｂに対して照明装置５０Ｂとして用いている。しかし、これに限られず、液晶パネル６０Ｂ以外の湾曲した被照明物に対する照明装置としても適用できる。
【０１０５】
（変形例９）前記第３実施形態のバックライトユニット１０Ｃは、巻取部としてのローラ２１０Ｃを有し、湾曲した液晶パネル６０Ｂに対して移動自在とさせているが、これに限られず、液晶パネル６０Ｂ以外の湾曲した被照明物に対して移動自在とさせてもよい。
【０１０６】
（変形例１０）前記第３実施形態のバックライトユニット１０Ｃは、１つ用いているが、２系統以上のバックライトユニットを用いて、液晶パネル６０Ｂに対して、外周側からそれぞれ移動自在とすることでもよい。
【０１０７】
（変形例１１）前記第３実施形態のバックライト１０３の表面は曲面形状を有しているが、これに限られず、曲面形状を有していなくても良く、例えば平坦な面形状であっても良い。そして、案内溝３１１Ｂなどに案内されることにより、バックライトユニットとして曲面形状を有する形態となればよい。
【０１０８】
（変形例１２）前記第１実施形態および第２実施形態において、透過領域６２，６２Ａが形成された場合、その透過領域６２，６２Ａには画像を表示させていないが、画像を表示させることでもよい。その場合、回転表示体８０，８０Ａ自体や回転表示体８０，８０Ａの絵柄に加えて、液晶パネル６０，６０Ａの画像も視認できるため、更に演出効果を高めることができる。
【０１０９】
（変形例１３）前記第１実施形態および第２実施形態において、バックライトユニット１０，１０Ａ，１０Ｂが収容された場合に、反射領域６３、第１反射領域６３Ａ、および第２反射領域６３Ｂが形成されるが、これに限られず、反射領域を形成させなくてもよく、見切り領域６１，６１Ａの全ての領域を透過領域として、回転表示体８０，８０Ａを透過させるようにしてもよい。
【０１１０】
（変形例１４）前記第１実施形態および第２実施形態において、バックライトユニット１０，１０Ａ，１０Ｂが収容された場合に、反射領域６３、第１反射領域６３Ａ、および第２反射領域６３Ｂが形成されるが、この反射領域の位置は固定されるものではなく、液晶パネル６０，６０Ａの背面側で移動するバックライトユニット１０，１０Ａ，１０Ｂの停止させる位置で適宜決めることでよい。また、透過領域６２，６２Ａもバックライトユニット１０，１０Ａ，１０Ｂの停止させる位置で適宜決めることでよい。
【０１１１】
（変形例１５）前記第１実施形態および第２実施形態において、バックライトユニット１０，１０Ａ，１０Ｂは、８つのバックライト１００、５つのバックライト１０１，１０２で構成されているが、バックライト１００，１０１，１０２の数は、これに限定されず、照明する被照明物の大きさや、反射具合を実験などにより確認して、最適な数量を適宜設定することでよい。
【０１１２】
（変形例１６）前記第２実施形態のバックライトユニット１０Ａ，１０Ｂはそれぞれ５つのバックライト１０１，１０２で構成されているが、これに限られず、それ以上連結させても良く、その場合、巻き取った状態で、バックライトを点灯させて、回転表示体８０Ａを照明させることで、回転表示体８０Ａ内部の照明用ランプ８１が不要となる。
【０１１３】
（変形例１７）前記第１実施形態のバックライト１００を構成する光源１２０は、ＬＥＤ素子を用いて、白色光を射出している。しかし、これに限られず、ＬＥＤ素子は、赤色光、緑色光、青色光などを射出してもよい。また、フィルタなどを用いて他の色光を作成して射出してもよい。これにより、バックライト１００の照明のさせ方の自由度を向上させることができる。
【０１１４】
（変形例１８）前記第１実施形態のバックライトユニット１０は、白色光を射出している。しかし、これに限られず、バックライト１００の射出する色光を個々に異なる色光として射出するバックライトユニットとすることもできる。例えば、バックライト１００ａは、赤色光を射出し、バックライト１００ｂは、緑色光を射出し、バックライト１００ｃは、青色光を射出させるなどしてもよい。光源１２０にＬＥＤ素子を用いることにより、バックライト１００毎に射出する色光を適宜決めることができる。
【０１１５】
（変形例１９）前記第１実施形態のバックライト１００は、光源１２０を導光板１１０の側面としての両端面に１つずつ有しているが、光源１２０の数量には限定されない。例えば、一方の端面にのみ光源１２０を１つ有することでもよい。また、例えば、一方の端面に複数の光源１２０を有することでもよい。また、側面は端面には限定されない。例えば、バックライト１００の上下方向の側面に有してもよい。いずれにしても、バックライト１００の導光性を実験などにより確認して、光源１２０の最適な設置位置および数量を設定することでよい。
【０１１６】
（変形例２０）前記実施形態は、電子機器としての遊技機９０，９０Ａ，９０Ｂに適用しているが、これに限られず、遊技機９０，９０Ａ，９０Ｂ以外に、移動自在のバックライトユニットにより液晶パネルを照明する目的の電子機器や、併せて液晶表示装置の後方に配設される対象物を視認させることを目的とする電子機器に適用できる。
【０１１７】
なお、本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量などにおいて、当業者が様々な変形（変更ならびに改良）を加えることができるものである。従って、詳細な構成部材の形状・材質・数量などにおいて、当業者が様々な変形を加えることにより実施する場合も本発明に含まれるものである。
【図面の簡単な説明】
【０１１８】
【図１】第１実施形態に係る液晶表示装置の斜視図。
【図２】バックライトユニットを構成する１つのバックライトを示す斜視図であり、（ａ）はバックライトを上方から見た斜視図であり、（ｂ）はバックライトを下方から見た斜視図。
【図３】液晶表示装置の概略断面図であり、（ａ）はバックライトユニットを展開して回転表示体を遮蔽した図であり、（ｂ）はバックライトユニットを巻き取って回転表示体を開放した図。
【図４】液晶表示装置を駆動するための概略の回路ブロック図。
【図５】第２実施形態に係る液晶表示装置の概略断面図。
【図６】第３実施形態に係る液晶表示装置の概略断面図。
【図７】第４実施形態に係るバックライトユニットの概略断面図であり、（ａ）はバックライトユニットを展開した状態の概略断面図であり、（ｂ）はバックライトユニットを折り畳んだ状態の概略断面図。
【符号の説明】
【０１１９】
１０，１０Ａ，１０Ｂ，１０Ｃ，１０Ｄ…バックライトユニット、２０…駆動部、５０，５０Ａ，５０Ｂ…照明装置、６０，６０Ａ，６０Ｂ…液晶パネル、６１，６１Ａ…見切り領域、６２，６２Ａ…透過領域、６３…反射領域、６３Ａ…第１反射領域、６３Ｂ…第２反射領域、７０，７０Ａ，７０Ｂ…液晶表示装置、８０，８０Ａ，８０Ｂ…回転表示体、９０，９０Ａ，９０Ｂ…遊技機、１００，１０１，１０２，１０３，１０４…バックライト、１１０…導光板、１２０…光源、１３０，１４０…連結部、２００…巻取部、２１０，２１０Ａ，２１０Ｂ，２１０Ｃ…ローラ。
【図１】
2009146672.tif 000003
【図２】
2009146672.tif 000004
【図３】
2009146672.tif 000005
【図４】
2009146672.tif 000006
【図５】
2009146672.tif 000007
【図６】
2009146672.tif 000008
【図７】
2009146672.tif 000009